(57)【要約】【課題】  作業靴の底部にスパイクを取り付け、靴の側面に高さ調整可能なアイゼンを設けたことにより、靴底全体で斜面を捉えて安全に作業することができる斜面作業用スパイク装具を提供する。【解決手段】  スパイク装具１は、靴底の形をした金属製の底板１０の下面１１に複数のスパイク金具２１を固着し、また、底板１０の中足部１２の外側（足の小指の側）及び内側（足の親指の側）からそれぞれ上方に踝の上部までを覆う外側板３１と内側板３２とを設ける。外側板３１の外側面にはアイゼン４０を取り付け、アイゼン４０は外側板３１から２本のビスをスライド孔４２，４２に通し、蝶ナット５１，５１により締め付けて固着する。アイゼン４０は、上下方向に長い溝状のスライド孔４２，４２を２条平行に設け、蝶ナット５１，５１の締め付けを緩めることにより、アイゼン４０の高さを最大約５０ｍｍまで調整可能である。【選択図】  図１
0003107610.tif 000002
【実用新案登録請求の範囲】
【請求項１】
作業用の靴の下部に取り付けて急斜面で足が滑らないようにするスパイクであって、靴底型の金属製の底板の下面に複数のスパイク金具を設け、その底板の中足部の外側及び内側からそれぞれ上方に踝の上部までを覆う外側板と内側板とを設けるとともに、その外側板に上下方向にスライド可能にアイゼンを取り付けたことを特徴とする、斜面作業用スパイク装具。
【請求項２】
前記アイゼンは、金属製の板体であって、地面に突き刺さるための尖端部を二つ並べて設け、その各尖端部の先端の角度が約３０°〜６０°であることを特徴とする、請求項１に記載の斜面作業用スパイク装具。
【請求項３】
前記アイゼンは、金属製の板体であって、その板体の前記各尖端部の上部に上下方向に長い溝状のスライド孔を平行に２条設け、その各スライド孔にナットを通して前記外側板に緩締自在にネジ止することを特徴とする、請求項１又は請求項２に記載の斜面作業用スパイク装具。
【請求項４】
前記ナットは、蝶ナットであることを特徴とする、請求項３に記載の斜面作業用スパイク装具。
【考案の詳細な説明】
【技術分野】
【０００１】  本考案は、急斜面地における作業において、靴が滑らないようにするためのスパイクに関するものである。
【背景技術】
【０００２】  従来、急斜面地で草刈や地慣らしなどの作業する場合に、靴底にスパイクを取り付けたスパイク靴を用いていたが、地表面の状態によっては、スパイクが十分に地面を捉えることができず滑ったり、逆にスパイクが深く地面に入り過ぎて歩き難くなるという問題があった。このような問題に対して、靴の下に足乗せプレートを設け、その足乗せプレートのかかと部分に足乗せプレート支持板を設けて、足乗せプレートに乗った靴の底面が水平に保たれるようにした「急傾斜土手の草刈用スパイク」（特開平１１−８９６１０）が提案されている。しかし、この草刈用スパイクでは、作業する斜面に対して正対する姿勢しか取れず、作業効率が悪くなるという問題があった。
【特許文献１】特開平１１−８９６１０号公報
【考案の開示】
【考案が解決しようとする課題】
【０００３】  本考案は、上述のような問題点に鑑みてなされたもので、作業靴の底部にスパイクを取り付けるとともに、靴の側面に高さ調整可能なアイゼンを設けたことにより、靴底全体で斜面を捉えて安全に作業することができる斜面作業用スパイク装具を提供することを目的とする。
【課題を解決するための手段】
【０００４】  上記課題を解決するために、本考案の請求項１の斜面作業用スパイク装具は、作業用の靴の下部に取り付けて急斜面で足が滑らないようにするスパイクであって、靴底型の金属製の底板の下面に複数のスパイク金具を設け、その底板の中足部の外側及び内側からそれぞれ上方に踝の上部までを覆う外側板と内側板とを設けるとともに、その外側板に上下方向にスライド可能にアイゼンを取り付けたことを特徴とするものである。
本考案の斜面作業用スパイク装具は、外側板に上下方向にスライド可能にアイゼンを取り付けたことにより、アイゼンが深く地中に突き刺さって足を斜面に固定するとともに、地面の状態に応じてアイゼンの高さを調整可能であるので、作業する斜面の傾斜状態や地面の土の状態に対応してアイゼンの高さを調節することができる。また、アイゼンを外側板に取り付け、左右の足の外側（小指の側）で地面を捉えるようにしたので、足の裏全体で地面を捉えることができ、地面に対してどのような姿勢をとってもしっかりと踏ん張ることができ、作業時の身体全体の安定性が高まる。【０００５】  また、請求項２の斜面作業用スパイク装具は、アイゼンが金属製の板体であって、地面に突き刺さるための尖端部を二つ並べて設け、その各尖端部の先端の角度が約３０°〜６０°であることを特徴とするものである。
このように、アイゼンの尖端部を二つ並べて設け、各尖端部の先端の角度が約３０°〜６０°の鋭角としたことにより、容易に地面に突き刺さり、大地をがっちり捉え、身体のぶれも少なく安定性も増し安心して作業ができる。【０００６】  また、請求項３の斜面作業用スパイク装具は、アイゼンが金属製の板体であって、その板体の前記各尖端部の上部に上下方向に長い溝状のスライド孔を平行に２条設け、その各スライド孔にナットを通して前記外側板に緩締自在にネジ止することを特徴とするものである。
このように、アイゼンに長い溝状のスライド孔を平行に２条設け、その各スライド孔にナットを通して外側板に緩締自在にネジ止したことにより、アイゼンは外側板に２箇所でネジ止されるので、しっかりと固定され、１箇所だけでネジ止めした場合に比べて、アイゼンが地面に突き刺さるときにネジを中心に回るように緩んだりすることがない。また、作業する地面の状態に応じて、アイゼンが突き刺さる深さを調整することができる。【０００７】  また、請求項４の斜面作業用スパイク装具は、前記ナットが蝶ナットであることを特徴とするものである。
このように、ナットに蝶ナットを用いたことにより、素手で簡単に回して締めたり緩めたりすることができ、アイゼンが地面に突き刺さる深さを簡単に調整することができる。
【考案の効果】
【０００８】  本考案の斜面作業用スパイク装具は、外側板に上下方向にスライド可能にアイゼンを取り付けたことにより、アイゼンが深く地中に突き刺さって足を斜面に固定するとともに、地面の状態に応じてアイゼンの高さを調整可能であるので、作業する斜面の傾斜状態や地面の土の状態に対応してアイゼンの高さを調節することができる。また、アイゼンを外側板に取り付け、左右の足の外側（小指の側）で地面を捉えるようにしたので、足の裏全体で地面を捉えることができ、地面に対してどのような姿勢をとってもしっかりと踏ん張ることができ、作業時の身体全体の安定性が高まる。
また、アイゼンの尖端部を二つ並べて設け、その各尖端部の先端の角度が約３０°〜６０°の鋭角としたことにより、地面に容易に突き刺さり大地をがっちり捉え、身体のぶれも少なく安定性も増し安心して作業ができる。
また、アイゼンに長い溝状のスライド孔を平行に２条設け、その各スライド孔にナットを通して外側板に緩締自在にネジ止したことにより、アイゼンは外側板に２箇所でネジ止されるので、しっかりと固定され、１箇所だけでネジ止めした場合に比べて、アイゼンが地面に突き刺さるときにネジを中心に回るように緩んだりすることがない。また、作業する地面の状態に応じて、アイゼンが突き刺さる深さを調整することができる。
また、ナットに蝶ナットを用いたことにより、素手で簡単に回して締めたり緩めたりすることができ、アイゼンが地面に突き刺さる深さを簡単に調整することができる。
【考案を実施するための最良の形態】
【０００９】  本考案の実施の形態を、代表的な実施例に基づいて図を用いて説明する。
図１は、本考案のスパイク装具１（左足用）を外側（小指の側）方向から見た側面図（Ａ）であり、図１Ａのスパイク装具１（左足用）を上方から見た平面図（Ｂ）である。図１において、スパイク装具１は、靴底の形をした金属製の底板１０の下面１１に複数のスパイク金具２１が固着され、また、底板１０の中足部１２の外側（足の小指の側）及び内側（足の親指の側）からそれぞれ上方に踝の上部までを覆う外側板３１と内側板３２とが設けられている。外側板３１の外側面にはアイゼン４０が取り付けられており、アイゼン４０は外側板３１から２本のビスをスライド孔４２，４２に通し、蝶ナット５１，５１により締め付けて固着されている。
アイゼン４０は、上下方向に長い溝状のスライド孔４２，４２が２条平行に設けられており、蝶ナット５１，５１の締め付けを緩めることにより、地面の状態の合わせてアイゼン４０の高さを、ほぼスパイク金具２０の高さから最大約５０ｍｍまで調整可能である。また、アイゼン４０の尖端部４１，４１を二つ並べて設け、その各尖端部の先端の角度が約３０°〜６０°としたとしたことにより、尖端部４１，４１がこの範囲の鋭角であれば、地面に深く突き刺さりやすく、且つしっかりと地面を捉えることができることが本願考案者の種々の実験により確認された。【００１０】  図２は本考案のスパイク装具１（左足用）を指先側の方向から見た正面図である。図２において、アイゼン４０の高さは、ほぼスパイク金具２０の高さと同じ高さに調整した状態を示している。
本考案の斜面作業用スパイク装具は、作業する地面の傾斜が緩やかで、スパイク金具２１だけで地面を捉えても作業者の体を十分支えられる場合は、アイゼン４０の地面へ突出する高さを最小に調節し、地面の傾斜が急である場合や、地面に草などが被い茂りスパイク金具だけでは十分に地面を捉えられない場合に、アイゼン４０の地面へ突出する高さを調節して，十分深く突き刺さり地面を捉えるよう調節することができる。アイゼン４０を外側板３１に取り付け、左右の足の外側（小指の側）で地面を捉えるようにしたのは、このようにすると足の裏全体で地面を捉えることができ、身体全体の安定性が高まるからである。もし、アイゼン４０を、内側板３２に取り付け、左右の足の内側（親指の側）で地面を捉えるようにすると、足の裏全体ではなく、アイゼン４０を取り付けた足の内側だけで身体を支えるようになり、身体の安定性が悪くなる。【００１１】  図３は本考案の斜面作業用スパイク装具（左足用）の使用状態を示す斜視図で、作業靴２（左足）にスパイク装具１（左足用）を装着した状態を示している。
本考案の斜面作業用スパイク装具を使用するときは、作業靴２を足に履いてスパイク装具１の底板１０の上に乗せ、外側板３１及び内側板３２の締着ベルト通し穴３３に締着ベルト６１を通し作業靴１の足首部に巻きつけて、作業靴２にスパイク装具１をしっかりと固定する。その後、作業する地面の状態の合わせてアイゼン４０の高さを調節する。締着ベルト６１は、合成ゴム製品を用いたが、布製でも合成繊維製品でもよい。【００１２】  以上、本考案の斜面作業用スパイク装具の左足用について説明したが、右足用も左足用のものと左右対称の形状となることを除いて、基本的に同じである。本実施例では、スパイク装具１は、底板１０、外側板３１及び内側板３２として、アルミニウム板を加工して用いたが、ステンレスなどの他の金属板を用いてもよく、また、全体の強度を維持しつつ、金属板の一部を切り抜いて軽量化を図ることが好ましい。
本考案の斜面作業用スパイク装具は、急斜面地における農作業、土木工事現場、建設現場に最適の安全装具である。
【図面の簡単な説明】
【００１３】
【図１】本考案の斜面作業用スパイク装具の側面図（Ａ）、平面図（Ｂ）である。
【図２】本考案の斜面作業用スパイク装具の正面図である。
【図３】本考案の斜面作業用スパイク装具の使用状態を示す斜視図である。
【符号の説明】
【００１４】    １    スパイク装具
２    作業靴
１０    底板
１１    底板の下面
１２    底板の中足部
２１    スパイク金具
３１    外側板
３２    内側板
３３    締着ベルト通し穴
４０    アイゼン
４１    尖端部
４２    スライド孔
５１    蝶ナット
６１    締着ベルト
【図１】
0003107610.tif 000003
【図２】
0003107610.tif 000004
【図３】
0003107610.tif 000005